(57)【要約】【課題】袋の取出口の開口縁に自己保形性と強度を付与し、体裁が良くて取出口からのティッシュの取り出しも容易に行なえるポケットティッシュを得る。【解決手段】袋３を構成する袋基材５が、ティッシュ２の下面側を受ける下面部６と、下面部６の前方に連なってティッシュ２の上面前方部分を覆う前方上面部７と、下面部６の後方に連なってティッシュ２の上面後方部分を覆う後方上面部８とを有する。前方上面部７の連出端には、内折り片１１が内側に折り返し連出されている。後方上面部８の連出端には、内折り片１２が内側に折り返し連出されている。前方上面部７と後方上面部８とが内外に重なる状態で、下面部６の左右端縁６ａ・６ａに前方上面部７および後方上面部８の左右端縁７ａ・７ａ・８ａ・８ａが熱接着されている。そして前方上面部７と後方上面部８との間が、ティッシュ２を取り出すための取出口４になっている。【選択図】　　　　図１
2004083106.tif 000002
【特許請求の範囲】
【請求項１】
束ねたティッシュ２と、ティッシュ２を包む扁平で四角形の袋３と、ティッシュ２を取り出すために袋３の上面に設けた取出口４とを備えており、
袋３を構成する袋基材５が、ティッシュ２の下面側を受ける下面部６と、下面部６の前方に連なってティッシュ２の上面前方部分を覆う前方上面部７と、下面部６の後方に連なってティッシュ２の上面後方部分を覆う後方上面部８とを有しており、
前方上面部７の連出端に、内折り片１１が内側に折り返し連出されており、
後方上面部８の連出端に、内折り片１２が内側に折り返し連出されており、
前方上面部７と後方上面部８とが内外に重なる状態で、下面部６の左右端縁６ａ・６ａに前方上面部７および後方上面部８の左右端縁７ａ・７ａ・８ａ・８ａが接着されており、
前方上面部７と後方上面部８との間が、取出口４になっていることを特徴とするポケットティッシュ。
【請求項２】
束ねたティッシュ２と、ティッシュ２を包む扁平で四角形の袋３と、ティッシュ２を取り出すために袋３の上面に設けた取出口４とを備えており、
袋３を構成する袋基材５が、ティッシュ２の下面側を受ける下面部６と、下面部６の前方に連なってティッシュ２の上面前方部分を覆う前方上面部７と、下面部６の後方に連なってティッシュ２の上面後方部分を覆う後方上面部８とを有しており、
前方上面部７の連出端に、内折り片１１が内側に折り返し連出されており、
前方上面部７の上面に後方上面部８が内外に重なる状態で、下面部６の左右端縁６ａ・６ａに前方上面部７および後方上面部８の左右端縁７ａ・７ａ・８ａ・８ａが接着されており、
前方上面部７と後方上面部８との間が、取出口４になっていることを特徴とするポケットティッシュ。
【請求項３】
束ねたティッシュ２と、ティッシュ２を包む扁平で四角形の袋３と、ティッシュ２を取り出すために袋３の上面に設けた取出口４とを備えており、
袋３を構成する袋基材５が、ティッシュ２の下面側を受ける下面部６と、下面部６の前方に連なってティッシュ２の上面前方部分を覆う前方上面部７と、下面部６の後方に連なってティッシュ２の上面後方部分を覆う後方上面部８とを有しており、
後方上面部８の連出端に、内折り片１２が内側に折り返し連出されており、
前方上面部７の上面に後方上面部８が内外に重なる状態で、下面部６の左右端縁６ａ・６ａに前方上面部７および後方上面部８の左右端縁７ａ・７ａ・８ａ・８ａが接着されており、
前方上面部７と後方上面部８との間が、取出口４になっていることを特徴とするポケットティッシュ。
【請求項４】
束ねたティッシュ２と、ティッシュ２を包む扁平で四角形の袋３と、ティッシュ２を取り出すために袋３の上面に設けた取出口４とを備えており、
袋３を構成する袋基材５が、ティッシュ２の下面側を受ける下面部６と、下面部６の前方に連なってティッシュ２の上面前方部分を覆う前方上面部７と、下面部６の後方に連なってティッシュ２の上面後方部分を覆う後方上面部８とを有しており、
前方上面部７の連出端に、内折り片１１が内側に折り返し連出されており、
後方上面部８の連出端に、内折り片１２が内側に折り返し連出されており、
ティッシュ２の上面２ｂを前方上面部７と後方上面部８とで覆った状態で、前方上面部７と後方上面部８との連出端どうしが突き合わされており、
下面部６の左右端縁６ａ・６ａに前方上面部７および後方上面部８の左右端縁７ａ・７ａ・８ａ・８ａが接着されており、
前方上面部７と後方上面部８との突き合わせ間が、取出口４になっていることを特徴とするポケットティッシュ。
【請求項５】
袋基材５が、熱可塑性の合成樹脂フィルム、又は熱可塑性の合成樹脂繊維の不織布シートからなり、
袋基材５の下面部６の左右端縁６ａ・６ａに、前方上面部７およびその内折り片１１の左右端縁７ａ・７ａ・１１ａ・１１ａと、後方上面部８およびその内折り片１２の左右端縁８ａ・８ａ・１２ａ・１２ａとがそれぞれ熱接着されている請求項１または４記載のポケットティッシュ。
【請求項６】
袋基材５が、熱可塑性の合成樹脂フィルム、又は熱可塑性の合成樹脂繊維の不織布シートからなり、
袋基材５の下面部６の左右端縁６ａ・６ａに、前方上面部７およびその内折り片１１の左右端縁７ａ・７ａ・１１ａ・１１ａと、後方上面部８の左右端縁８ａ・８ａとがそれぞれ熱接着されている請求項２記載のポケットティッシュ。
【請求項７】
袋基材５が、熱可塑性の合成樹脂フィルム、又は熱可塑性の合成樹脂繊維の不織布シートからなり、
袋基材５の下面部６の左右端縁６ａ・６ａに、前方上面部７の左右端縁７ａ・７ａと、後方上面部８およびその内折り片１２の左右端縁８ａ・８ａ・１２ａ・１２ａとがそれぞれ熱接着されている請求項３記載のポケットティッシュ。
【発明の詳細な説明】
【０００１】
【発明の属する技術分野】
本発明は、袋に設けたティッシュ取出口の構造に特徴を有するポケットティッシュに関する。
【０００２】
【従来の技術】
束ねたティッシュと、これを包む扁平な四角形の袋と、ティッシュを取り出すために前記袋の上面に設けた取出口とを備えたポケットティッシュは、実開昭５１−１３２３４０号公報や特開平１０−１０８８００号公報などに公知である。
【０００３】
かかるポケットティッシュは、図１０に示すごとく、前記袋３１を構成する袋基材３３が、ティッシュ２の下面２ａ側を受ける下面部３４と、下面部３４の前方に連なってティッシュ２の上面２ｂの前方部分を覆う前方上面部３５と、前記下面部３４の後方に連なってティッシュ２の上面２ｂの後方部分を覆う後方上面部３６とを有し、前方上面部３５と後方上面部３６とが袋３１の内外に重なる状態で、下面部３４の左右端縁に前方上面部３５および後方上面部３６の左右端縁が熱接着されている。そして、内外に重なる前方上面部３５と後方上面部３６との間が、ティッシュ２の取出口３２になっているものがある。そこでは、前方上面部３５と後方上面部３６との間を押し拡げて取出口３２を開き、そこからティッシュ２を取り出すことになる。
【０００４】
【発明が解決しようとする課題】
かかる従来のポケットティッシュでは、多くの場合、袋基材３３が薄い合成樹脂製フィルムからなるため、取出口３２の開口線となる前方上面部３５および後方上面部３６の端縁の腰が弱い。そのため、取出口３２を不使用時に確りと閉じられない。取出口３２の形状の自己保形性が悪いために、取出口３２から内部のティッシュ２が取り出し難い。
【０００５】
とくに、ポケットティッシュを着衣のポケットに入れて携行し、内部のティッシュ２の取り出しを繰り返すと、袋３１これ自体も形態が崩れ、取出口３２が開いたままの状態になって、ティッシュ２が取出口３２からはみ出した状態になりやすい。
【０００６】
かと言って、先の前方上面部３５と後方上面部３６との前後方向のラップ量を大きくして、取出口３２が不用意に開口し放しの状態にならないようにすると、今度はティッシュ２が容易に取り出せなくなる。そのため、一部では先のラップ量を大きくし、袋３１の下面側にミシン目を入れ、このミシン目を破ってティッシュ２を取り出す形式にして間に合わせているものがある。この形式はミシン目を余分に要する分だけ無駄であり、合理的ではない。
【０００７】
そこで本発明の目的は、袋の上面において先の前方上面部と後方上面部との間にティッシュの取出口を設ける形式のポケットティッシュにおいて、取出口の開口縁に自己保形性と強度とを付与し、体裁が良くて取出口からのティッシュの取り出しも容易に行なえるようにすることにある。
【０００８】
【課題を解決するための手段】
本発明に係るポケットティッシュは、図示するごとく、束ねたティッシュ２と、ティッシュ２を包む扁平で四角形の袋３と、ティッシュ２を取り出すために袋３の上面に設けた取出口４とを備えており、袋３を構成する袋基材５が、ティッシュ２の下面側を受ける下面部６と、下面部６の前方に連なってティッシュ２の上面前方部分を覆う前方上面部７と、下面部６の後方に連なってティッシュ２の上面後方部分を覆う後方上面部８とを有する。なお、ここでの前後左右の位置関係は、説明の都合上の相対的なものである。
【０００９】
かかる基本形態のポケットティッシュにおいて、請求項１記載の本発明は、図１に示すごとく、前方上面部７の連出端に、内折り片１１が内側に折り返し連出されており、後方上面部８の連出端に、内折り片１２が内側に折り返し連出されており、前方上面部７と後方上面部８とが内外に重なる状態で、下面部６の左右端縁６ａ・６ａに前方上面部７および後方上面部８の左右端縁７ａ・７ａ・８ａ・８ａが接着されており、前方上面部７と後方上面部８との間が、取出口４になっていることを特徴とする。この場合の袋基材５は紙や織布などでもよい。従って、ここでの接着は、接着剤による接着形式を含み、縫い付けも含む概念である。また、前記内折り片１１・１２の左右端縁１１ａ・１１ａ・１２ａ・１２ａは下面部６の左右端縁６ａ・６ａに必ずしも接着されることを要しない。
【００１０】
請求項２に係る本発明は、先の基本形態のポケットティッシュにおいて、図５に示すごとく、前方上面部７の連出端に、内折り片１１が内側に折り返し連出されており、前方上面部７の上面に後方上面部８が内外に重なる状態で、下面部６の左右端縁６ａ・６ａに前方上面部７および後方上面部８の左右端縁７ａ・７ａ・８ａ・８ａが接着されており、前方上面部７と後方上面部８との間が、取出口４になっていることを特徴とする。
【００１１】
請求項３に係る本発明は、先の基本形態のポケットティッシュにおいて、図６に示すごとく、後方上面部８の連出端に、内折り片１２が内側に折り返し連出されており、前方上面部７の上面に後方上面部８が内外に重なる状態で、下面部６の左右端縁６ａ・６ａに前方上面部７および後方上面部８の左右端縁７ａ・７ａ・８ａ・８ａが接着されており、前方上面部７と後方上面部８との間が、取出口４になっていることを特徴とする。
【００１２】
請求項４に係る本発明は、先の基本形態のポケットティッシュにおいて、図７に示すごとく、前方上面部７の連出端に、内折り片１１が内側に折り返し連出されており、後方上面部８の連出端に、内折り片１２が内側に折り返し連出されており、下面部６の左右端縁６ａ・６ａに前方上面部７および後方上面部８の左右端縁７ａ・７ａ・８ａ・８ａが接着されており、前方上面部７と後方上面部８との突き合わせ間が、取出口４になっていることを特徴とする。ここでの前方上面部７と後方上面部８との突き合わせ間は、両者７・８の連出端どうしが接触状態ないし近接対向状態である形態を含む。
【００１３】
請求項５に係る本発明は、請求項１または４記載のポケットティッシュにおいて、袋基材３が、熱可塑性の合成樹脂フィルム、又は熱可塑性の合成樹脂繊維の不織布シートからなり、袋基材３の下面部６の左右端縁６ａ・６ａに、前方上面部７およびその内折り片１１の左右端縁７ａ・７ａ・１１ａ・１１ａと、後方上面部８およびその内折り片１２の左右端縁８ａ・８ａ・１２ａ・１２ａとがそれぞれ熱接着されていることを特徴とする。
【００１４】
請求項６に係る本発明は、請求項２記載のポケットティッシュにおいて、袋基材３が、熱可塑性の合成樹脂フィルム、又は熱可塑性の合成樹脂繊維の不織布シートからなり、袋基材３の下面部６の左右端縁６ａ・６ａに、前方上面部７およびその内折り片１１の左右端縁７ａ・７ａ・１１ａ・１１ａと、後方上面部８の左右端縁８ａ・８ａとがそれぞれ熱接着されていることを特徴とする。
【００１５】
請求項７に係る本発明は、請求項３記載のポケットティッシュにおいて、袋基材５が、熱可塑性の合成樹脂フィルム、又は熱可塑性の合成樹脂繊維の不織布シートからなり、袋基材５の下面部６の左右端縁６ａ・６ａに、前方上面部７の左右端縁７ａ・７ａと、後方上面部８およびその内折り片１２の左右端縁８ａ・８ａ・１２ａ・１２ａとがそれぞれ熱接着されていることを特徴とする。
【００１６】
【発明の作用効果】
請求項１記載の本発明によれば、袋３の取出口４において、袋基材５の前方上面部７と後方上面部８との連出端には、内折り片１１・１２がそれぞれ形成されているので、取出口４の開口縁となる前方上面部７と後方上面部８との連出端が確りと保形されたものになり、形崩れをしない体裁の良い形態を維持することができる。従って、前方上面部７に対して後方上面部８を上方に開封する要領で、両上面部７・８を前後に押し拡げることにより、取出口４を開放状態にして内部のティッシュ２を容易に引き出せる。しかも、前方上面部７と後方上面部８とは、いったん開封したのちも内外に重なっているので、不使用時には取出口４を確実に閉じておくことができ、内部のティッシュ２が不用意にはみ出した状態にならない。
【００１７】
袋基材５として、例えば、折り曲げに対する弾性復元力を有する材質のものを選択すると、少なくとも内側に位置する前方上面部７の内折り片１１が、ティッシュ２の上面２ｂを押え、ティッシュ２の内部残量が少なくなった状態下で、ティッシュ２が取出口４からはみ出した状態になるのをよく防止することになる。
【００１８】
請求項２記載の本発明によれば、袋基材５の前方上面部７の連出端にのみ内折り片１１が形成されているので、後方上面部８の内折り片１２を省略した分だけ材料コストを低減できながら、取出口４はこれの開口縁となる少なくとも前方上面部７の連出端が保形されて、形崩れしにくい形態を得ることができる。また不使用時には取出口４を確りと閉じておくことができる。
【００１９】
請求項３記載の本発明によれば、袋基材５の後方上面部８の連出端に内折り片１２が形成されているので、この場合も前方上面部７の内折り片１１を省略した分だけ材料コストを低減できながら、取出口４はこれの開口縁となる後方上面部８の連出端が保形されて、形崩れしにくい形態を得ることができる。また不使用時には取出口４を確りと閉じておくことができる。
【００２０】
請求項４記載の本発明によれば、袋基材５の前方上面部７と後方上面部８との突き合わせ間が取出口４になっているので、両上面部７・８を単に前後に押し拡げるだけで取出口４を開放状態にでき、内部のティッシュ２をより容易に引き出せることになる。そのうえで、前方上面部７と後方上面部８との連出端には、内折り片１１・１２がそれぞれ形成されているので、取出口４の開口縁となる前方上面部７と後方上面部８との連出端が確りと保形されたものになり、形崩れをしない体裁の良い形態を維持する。かつ、不使用時には取出口４を確りと閉じておくことができ、内部のティッシュ２が不用意にはみ出した状態にならない。
【００２１】
請求項５記載の本発明によれば、請求項１または４記載のポケットティッシュにおいて、袋基材３の下面部６の左右端縁６ａ・６ａに、両上面部７・８の内折り片１１・１２の左右端縁１１ａ・１１ａ・１２ａ・１２ａもそれぞれ熱接着されているので、内折り片１１・１２の折り返し状態が確実に保持されて、ティッシュ２を外部に取り出す際に、そのティッシュ２によって内折り片１１・１２が取出口４から連れ出されることがない。しかも、前記左右端縁６ａ・６ａ・１１ａ・１１ａ・１２ａ・１２ａは熱接着されるので、従来通り安価に量産できる。
【００２２】
請求項６に係る本発明によれば、請求項２記載のポケットティッシュにおいて、袋基材３の下面部６の左右端縁６ａ・６ａに、前方上面部７の内折り片１１の左右端縁１１ａ・１１ａが熱接着されるので、この場合も内折り片１１の折り返し状態が確実に保持されて、ティッシュ２を外部に取り出す際に、そのティッシュ２によって内折り片１１が取出口４から連れ出されることがない。
【００２３】
請求項７に係る本発明によれば、請求項３記載のポケットティッシュにおいて、袋基材３の下面部６の左右端縁６ａ・６ａに、後方上面部８の内折り片１２の左右端縁１２ａ・１２ａが熱接着されるので、前述の請求項５・６記載の本発明と同様に、内折り片１２の折り返し状態が確実に保持されて、ティッシュ２を外部に取り出す際に、そのティッシュ２によって内折り片１２が取出口４から連れ出されることがない。
【００２４】
【発明の実施の形態】
（第１実施例）　図１ないし図４は、請求項１および請求項５記載の本発明に対応する使い捨てのポケットティッシュの第１実施例を示す。このポケットティッシュ１は、図１に示すごとく、複数枚を折り畳んで重ねた状態に束ねたティッシュ２と、このティッシュ２の全体を包む扁平で四角形の袋３と、ティッシュ２を取り出すために袋３の上面に設けた取出口４とを備えている。
【００２５】
袋３を構成する袋基材５は、熱可塑性の合成樹脂フィルムや熱可塑性の合成樹脂繊維の不織布シートなどで形成されており、図２に示すごとく、ティッシュ２の下面２ａ側を受ける下面部６と、この下面部６の前方（図２の左側）に連なってティッシュ２の上面２ｂの前方部分（図１の左側）を覆う前方上面部７と、前記下面部６の後方（図２の右側）に連なってティッシュ２の上面２ｂの後方部分（図１の右側）を覆う後方上面部８とを有する。袋基材５としては、ポリ乳酸繊維を主成分とする不織布シートや、メタロセン触媒を使用して製造した直鎖低密度ポリエチレン製の合成樹脂フィルムなども該当する。
【００２６】
前方上面部７の連出端には、内折り片１１が内側に折り返し可能に連出されており、後方上面部８の連出端には、内折り片１２が内側に折り返し可能に連出されている。具体的には、袋３の左右幅が１２５ｍｍで前後幅が８５ｍｍのときに、前方上面部７の内折り片１１の前後幅を１０ｍｍ、後方上面部８の内折り片１２の前後幅を２０ｍｍに設定した。
【００２７】
そして、図１に示すごとく前方上面部７は内（下）側に、後方上面部８は外（上）側にそれぞれ前後方向に１０ｍｍ分の寸法で重ね、このラップ状態で下面部６の左右端縁６ａ・６ａに対して、前方上面部７の左右端縁７ａ・７ａと、後方上面部８の左右端縁８ａ・８ａと、内折り片１１の左右端縁１１ａ・１１ａと、内折り片１２の左右端縁１２ａ・１２ａとをそれぞれ熱接着（ヒートシール）して、図３に示す袋状に形成した。
【００２８】
この状態で、図１に示すごとく、内外に重なる前方上面部７と後方上面部８との間に、常態では閉じられた開閉可能な取出口４が形成されることになる。これによれば、図４に示すごとく、前方上面部７を前方に、後方上面部８を後方にそれぞれ押し拡げると、取出口４が開口状態になり、この取出口４からティッシュ２を外部に順次取り出すことができる。
【００２９】
内折り片１１・１２は、折り返し長さが小さいほど材料コストの点で有利になるが、短くなり過ぎると保形性が悪くなり、ティッシュ２を取り出す際に剥り上がった状態になりやすい。かかる観点から内折り片１１・１１の前後幅寸法は８〜２５ｍｍとする。そのうえで、前方上面部７と後方上面部８との前後方向における重なり寸法は、５〜２０ｍｍにすることが望まれる。５ｍｍを下回ると取出口４が不用意に開きやすくなり、２０ｍｍを越えると取出口４が押し開き難くなるからであり、実施例ではこの重なり寸法を１０ｍｍとした。なお、図示例のように後方上面部８の内折り片１２が、前方上面部７の内折り片１１の連出端より袋３内に延出していると、使用時において袋３内のティッシュ３がズルズルと連続状に引き出されるのを防止するのに有利である。
【００３０】
袋３内の内側となる前方上面部７の内折り片１１は、全体がティッシュ２の上面２ａに押圧作用するので、前方上面部７の内折り片１１の前後幅寸法を後方上面部８の内折り片１２のそれよりも短い例えば１０ｍｍにすることが材料コストの面で好ましい。
【００３１】
（第２実施例）　図５は、請求項２および請求項６記載の本発明に対応するポケットティッシュの第２実施例を示しており、袋基材５の前方上面部７の連出端にのみ内折り片１１が内側に折り返し可能に連出されており、後方上面部８の連出端の内折り片１２が省略されていて、前方上面部７の上面に後方上面部８が重なっている。その他の構成は第１実施例と実質的に同じであるため、同一部材には同一符号を付して説明を省略する。この場合、後方上面部８の内折り片１２が省略されている分だけ全体の材料コストを低減化できる。
【００３２】
（第３実施例）　図６は、請求項３および請求項７記載の本発明に対応するポケットティッシュの第３実施例を示しており、袋基材５の後方上面部８の連出端にのみ内折り片１２が内側に折り返し可能に連出されており、前方上面部７の連出端の内折り片１１が省略されていて、前方上面部７の上面に後方上面部８が重なっている。その他の構成は第１実施例と実質的に同じであるため、同一部材には同一符号を付して説明を省略する。この場合、前方上面部７の内折り片１１が省略されている分だけ全体の材料コストを低減化できる。
【００３３】
（第４実施例）　図７ないし図９は、請求項４および請求項５記載の本発明に対応するポケットティッシュの第４実施例を示しており、図７に示すごとく、ティッシュ２の上面２ｂの前方部分を前方上面部７で覆うとともに、ティッシュ２の上面２ｂの後方部分を後方上面部８で覆ったときには、前方上面部７と後方上面部８との連出端どうしがティッシュ２の上面２ｂ側で突き合わされるようになっている。
【００３４】
また、第１実施例と同様に、前記前方上面部７の連出端には内折り片１１が内側に折り返し可能に連出されており、前記後方上面部８の連出端には内折り片１２が内側に折り返し可能に連出されている。そして、下面部６の左右端縁６ａ・６ａに対して、前方上面部７の左右端縁縁７ａ・７ａと、後方上面部８の左右端縁縁８ａ・８ａと、内折り片１１の左右端縁１１ａ・１１ａと、内折り片１２の左右端縁１２ａ・１２ａとがそれぞれ熱接着されて袋状に形成されている（図８の状態）。
【００３５】
この状態で、前方上面部７の連出端と後方上面部８の連出端とが突き合わせ状に接触しており、この突き合わせ間が取出口４になっている。これによれば、図９に示すごとく、前方上面部７と後方上面部８との間を前後に押し拡げるだけで、取出口４を容易に大きく開口状態にすることができ、取出口４からティッシュ２を容易に取り出すことができる。その他の構成は第１実施例と実質的に同じであるため、同一部材には同一符号を付して説明を省略する。この第４実施例では、袋基材５が自己保形性を有する不織布シートからなるときに、取出口４の開口縁がもともと形崩れし難いので好都合である。
【図面の簡単な説明】
【図１】第１実施例のポケットティッシュを示す縦断面図
【図２】第１実施例に係る袋基材の展開図
【図３】第１実施例のポケットティッシュの斜視図
【図４】第１実施例のポケットティッシュの使用状態を示す斜視図
【図５】第２実施例のポケットティッシュを示す縦断面図
【図６】第３実施例のポケットティッシュを示す縦断面図
【図７】第４実施例のポケットティッシュを示す縦断面図
【図８】第４実施例のポケットティッシュの斜視図
【図９】第４実施例のポケットティッシュの使用状態を示す斜視図
【図１０】従来のポケットティッシュを示す縦断面図
【符号の説明】
１　ポケットティッシュ
２　ティッシュ
２ａ　ティッシュの下面
２ｂ　ティッシュの上面
３　袋
４　取出口
５　袋基材
６　下面部
６ａ　下面部の左右端縁
７　前方上面部
７ａ　前方上面部の左右端縁
８　後方上面部
８ａ　後方上面部の左右端縁
１１　前方上面部の内折り片
１１ａ　前方上面部の内折り片の左右端縁
１２　後方上面部の内折り片
１２ａ　後方上面部の内折り片の左右端縁
【図１】
2004083106.tif 000003
【図２】
2004083106.tif 000004
【図３】
2004083106.tif 000005
【図４】
2004083106.tif 000006
【図５】
2004083106.tif 000007
【図６】
2004083106.tif 000008
【図７】
2004083106.tif 000009
【図８】
2004083106.tif 000010
【図９】
2004083106.tif 000011
【図１０】
2004083106.tif 000012